(57)【要約】【目的】アナログピックアップのアームリフターにおいて多くの種類のものに使用でき、取り付け後はリフターに手を触れることなく便利に使用する事が出来るもの【構成】アナログレコードのピックアップアームが最内周に来ると、自動的にスイッチが入りピックアップアームをレコードから持ち上げる。その状態でスイッチが切れ停止する。アームを手で取ると再びスイッチが入り、アームリフターは自動的に下がり、初期の状態になりスイッチが切れる。小型化することが容易であり、多くの種類のアームに対応出来るように高さ調整用台を取り付けて使用する事が出来る。また電力の消耗はアームリフターが昇降する短い時間のみであり、省エネルギー構造である。【選択図】                図１
2006345467.tif 000002
【特許請求の範囲】
【請求項１】
アナログレコードのピックアップアームが最内周に来ると、自動的にスイッチが入りピックアップアームをレコードから持ち上げる。その状態でスイッチが切れ停止する。アームを手で取ると再びスイッチが入り、アームリフターは自動的に下がり、初期の状態になりスイッチが切れるアームリフターで２個の電源または２個の電池を使用した図１のアームリフターの構造
【請求項２】
アナログレコードのピックアップアームが最内周に来ると、自動的にスイッチが入りピックアップアームをレコードから持ち上げる。その状態でスイッチが切れ停止する。アームを手で取ると再びスイッチが入り、アームリフターは自動的に下がり、初期の状態になりスイッチが切れるアームリフターで１個の電源または１個の電池を使用した図４のアームリフターの構造
【請求項３】
ピックアップアームが上がった時に起こるスイッチのバネによるアームの戻りを防止するために付けられた凹みを持った図７のアームリフターの形状
【請求項４】
アームリフターを水平に安定して取り付けるためのアームリフターの高さ調整が出来る取り付け台で高さの調整は０．５ミリと１ミリ、２ミリ、４ミリなどの数種のスペーサーを使用して行うこと０．５ミリ間隔で高さ調整が出来る図８と図９の高さ調整用取り付け台。
【発明の詳細な説明】
【発明の詳細な説明】
【産業上の利用分野】
【０００１】  アナログレコードプレーヤーにおいてアームの使用を便利にするために、アームリフターの昇降を自動的に動作するようにしたものである。
【背景技術】
【０００２】  従来のアームリフターにはアームを上げたり、下げたりする動作をアームに取り付けられた専用のアームリフターのレバーを使用し手動で行うものや、独立して取り付けるアームリフターでは自動的に上げることは出来ても指で押し下げる作業が必要であった。またはアームと連結してプレーヤーに組み込む事で自動的にアームを上げ、ボタンを押す事で下げる作業をするアームリフターが存在している。また高度な音質を求める良質なアームは単独で販売されており、便利に使用する手段が無かった。そして独立して取り付けるアームリフターには取り付け位置にアームベースなどの障害があり、高さの微調整が困難で安定して取り付けられる台が無かった。
【発明が解決しようとする課題】
【０００４】  多くの種類のアームに使用可能にすること。
【０００５】  アームリフターの取り付け後はアームリフターの操作を全く考えることなく便利に使用できるようにすること。
【０００６】  アームとは独立した装置であり、音質を阻害する事が無いこと。
【０００７】  アームリフターの動力に使用する電力や電池の消耗を少なくすること。
【０００８】  取り付け場所の障害を避け、簡単に高さ調整が出来て安定して取り付け可能なこと。
【課題を解決するための手段】
【０００９】  図１は請求項１のアームリフターの構造であり、高さ調整台が取り付けられている。
【００１０】  図２は請求項１のアームリフター本体の解かり易い配線図面である。電力は家庭用の商用電源を整流して使用する事も出来るが、ここでは電池を使用した場合の図面である。
【００１１】  アームリフターの昇降はリフター駆動部の中央にネジ状の穴を形成し、モーターに取り付けられたボルト状のものが回転することで行うようにした。図１０のようにモーターを横にして歯車を利用しても同様にリフターを昇降させることも出来る。
【００１２】  図２は請求項１のアームリフターをセットした時の初期状態である。このときスイッチＡは下がる為の接点Ａの１に導通しているが、上がる為の接点Ａの２はオフとなり導通していない。スイッチＢの方では下がる為の接点Ｂの１はオフになっており、上がる為の接点Ｂの２がオンになった状態である。電流はモーターに流れないためリフターは停止状態である。
【００１３】  図３は請求項１のアームリフターによってアームが上げられた状態のものである。図２の初期状態からアームの動きがスイッチＡを押すことでスイッチＡは下がる為の接点Ａの１はオフとなり、上がる為の接点Ａの２がオンになるため電池２が導通してモーターに電流が流れリフターは上がる。リフターが上がり終える時、駆動部に取り付けられた爪によりスイッチＢの上がる為の接点Ｂの２はオフになり、リフターは上がったままスイッチが切れた状態で停止する。このときスイッチＢの下がる為の接点Ｂの１がオンになっている。
【００１４】  次の動作は持ち上げられたアームを取り去るとスイッチＡは上がる為の接点Ａの２から下がる為の接点Ａの１に切り替わる。スイッチＢは下がる為の接点Ｂの１がオンになっているため電池１が導通になるからモーターは回転を始めアームリフターは下がる。アームリフターが下がり終える時に駆動部の爪によりスイッチＢの下がる為の接点Ｂの１はオフとなり、モーターが止まりリフターは停止する。その時上がる為の接点Ｂの２がオンになり、図２の初期状態となる。
【００１５】  このように請求項１のアームリフターにおいては、レコード面の内周にアームが来てスイッチＡを押すことで上がる為の接点Ａの２に電流が流れリフターのモーターが左回転しアームを持ち上げる。リフターが上がり終える時、リフターの駆動部に付いている爪が接点Ｂの２を切りリフターは停止して電源が切れる。このときスイッチＡのバネの力でアームが戻らないようにリフターの上部に凹みをつけている。次にアームを手で持ち上げるとスイッチＡはバネの力で元に戻り下がるための接点Ａの１が入る。スイッチＢも下がる為の接点Ｂの１が入りになっているためモーターが右回転してアームリフターは下がる。アームリフターが下がり終える時、リフターの駆動部分に付いている爪が接点Ｂの１を切りリフターは停止して電源が切れる。
【００１６】  図４は請求項２のアームリフターである。スイッチＣは請求項１のアームリフターに使用しているスイッチＡと同じだが、スイッチＤは３連の同時に切り替えるトグルスイッチを利用する。トグルスイッチは瞬時に切り替えが出来る。アームリフターの駆動部にスイッチＤを切り替える為の溝を設ける。その溝の上下幅によりリフターの動きの大きさを決定するようにした。
【００１７】  図５と図６は請求項２のアームリフターの配線図である。特に３連スイッチを使用したスイッチＤの配線が解かり難い為、スイッチＤを解かり易いようにＤの１とＤの２とＤの３の三つに分けて下部に記載している。
【００１８】  図５は請求項２のアームリフターの初期状態であり、３連のスイッチＤのノブは下げられている。図のようにスイッチＤの１はオンになっているがスイッチＣで切られ、電極のマイナス側はモーターに導通していない。スイッチＤの２はオフである。スイッチＤの３はプラスの電極の切り替えであるがモーターの上がる為のプラスの電極に導通している。この後、トーンアームがスイッチＡを押す事で接点Ｃの２がオンの状態になる為、上がる為のマイナス側の電極も導通し、モーターは上がる為の回転を始める。
【００１９】  図６はリフターが上がり終える時にリフターの駆動部に付けられた溝が３連スイッチのノブを持ち上げる事で３連スイッチが切り替わったときの状態である。３連スイッチＤの１がオフになりモーターは停止している。３連スイッチＤの２はこのときオンになるがスイッチＣで電流は切断されている。３連スイッチＤの３はリフターが下がる為のモーターのプラス電極に切り替わっている。この後、トーンアームを手で持ち上げるとスイッチＣはバネの力で戻り接点Ｃの１が導通し、すでに導通状態であるスイッチＤの２を通りモーターが下がる為に回転するマイナス電極に繋がる。そしてリフターは下がり始める。下がり終える時にリフター駆動部の溝により３連スイッチＤのノブは押し下げられ図５の初期の状態になる。
【００２０】  請求項１、請求項２ともに自然なアームの動きや自然な操作によりスイッチが自動的に切り替わり動作する。直流モーターの電源端子がスイッチによりプラスとマイナスが入れ替わるようにしてアームリフターの上がり下がりを決定している。
【００２１】  このアームリフターを使用するために、スイッチを手動で入り切りする必要のないように自動的に電源が切れるようにした。また電力の消耗はリフターが上がる時と下がるときの短い時間であり非常に少ない。アームリフターが上がった状態でも、下がった状態でも電源はオフになる。要するにレコード演奏中の待機状態やプレーヤーを使用しない場合は自動的にスイッチは切れ電池の消耗は無い。
【００２２】  スイッチＡまたはスイッチＣはフリーな状態ではＡの１またはＣの１に接触しているが、アームがレコードの最内周に来るとスイッチＡまたはＣを押す。梃の原理で非常に弱い力で接点Ａの２または接点Ｃの２へ切り替わるようになっている。
【００２３】  図８の高さ調整用取り付け台は、取り付け場所にアームベースの基礎部が飛び出している物が多いため、避けるように下部の中央に空間を空けている。図９の微調整用スペーサーは４枚の組み合わせの例であるが図８の高さ調整用取り付け台にアームリフターを取り付けるとき間に挟み高さを調整する。スペーサーの組み合わせを変えることにより、０．５ミリ単位で０ミリから７．５ミリの高さ調整が可能である。水平を保ちながら簡単に微調整が可能である。プレーヤーに両面テープまたは木ネジで取り付ける。取り付け位置を微妙に調整できるようにネジ穴を長方形にした。
【００２４】  アームリフターの昇降するスピードを調整する為にモーターの回転をコントロールする定電流回路や抵抗回路を設ける事も出来る。
【００２５】  使用する電源や電池は色々な種類や形態の物が使用できる。
【作用】
【００２６】  取り付けの高さを変えることで多くの種類のアームリフターとして使用できる。
【００２７】  電力に電池を使用しても消耗が少ない。
【００２８】  アナログレコードプレーヤーにおいてはそれぞれのアームに手動のアームリフターがついているのでレコードに針を下ろす時は手動のアームリフターが使用できる。しかし多くの方は手動のアームリフターを使用する事なくフリーハンドで自由に針を下ろすことを好んでいる。問題はレコードの演奏が終了した時に起こる。すぐに針を上げないと音楽信号のないレコードの内周をいつまでも針がトレースした状態になり、針先やレコードを消耗する。発明のアームリフターはレコード演奏が終わってすぐに針を上げる煩わしさが無くなる。更には次のレコードをかけるときにリフターの操作が不要な事は非常に快適に感じるものである。
【実施例】
【００２９】  実施例、図１は代表的な図面である。スイッチＡの動きの堅さやスイッチＢの１から２に切り替える長さなどに適度な距離が必要であった。またアームリフターの凹み部分の深さはスイッチＡの反発力と合わせて調整している。本体をアームにセットする時はアームに合わせて高さや取り付け場所を決定する必要がある。セットした後の動作には問題なく非常に便利である。【００３０】  多種のアームやアナログプレーヤーに取り付けるには高さや厚さに制限があり、高さにおいては置き台を含め４０ミリから５０ミリ、厚さは１０ミリ前後が好ましい。アームリフターの昇降の長さは４ミリから５ミリが好ましい。
【発明の効果】
【００３１】  色々な多くの種類のピックアップアームに使用する事が出来た。
【００３２】  レコード演奏が終了してもピックアップアームが自動的に上がる為、安心してアナログレコードを聞きながら他の用事をすることが出来る。
【００３３】  高品質のピックアップアームにでも音質の劣化無く使用できた。
【００３４】  電池の消耗は非常に少なく長期間使用することが出来る。
【００３５】  高さ調整台は簡単に水平と高さの微調整が出来る。
【図面の簡単な説明】
【００３６】
【図１】  請求項１のアームリフターに高さ調整台が取り付けられた側面図であるが配線図を省略している。
【図２】  請求項１のアームリフターの配線図を示した。セットした初期状態の側面図である。
【図３】  請求項１のアームリフターが動作してアームを持ち上げた状態の側面図である。
【図４】  請求項２のアームリフターに高さ調整台が取り付けられた側面図であるが配線図を省略している。
【図５】  請求項２のアームリフターの配線図を示した。セットした初期状態の側面図である。
【図６】  請求項２のアームリフターが動作してアームを持ち上げた状態の側面図である。
【図７】  請求項３のアーム逆戻り防止としての凹みをつけたアームリフター駆動部の側面図である。
【図８】  請求項４の高さ調整用取り付け台である。
【図９】  高さ調整用取り付け台の微調整用スペーサーである。
【図１０】  モーターを横置きにした場合の駆動部
【符号の説明】
１、２  電池
３  リフター駆動部
４  スイッチＡ
５  接点Ａの１
６  接点Ａの２
７  スイッチＢ
８  接点Ｂの１
９  接点Ｂの２
１０  駆動モーター
１１  駆動部の爪
１２  定電流回路又は抵抗の取り付けスペース
１３  高さ調整台
１４  スペーサー
１５  ピックアップアーム
１６  スイッチＣ
１７  接点Ｃの１
１８  接点Ｃの２
１９  ３連トグルスイッチ
２０  ３連トグルスイッチのノブ
２１  駆動部の凹み
【図１】
2006345467.tif 000003
【図２】
2006345467.tif 000004
【図３】
2006345467.tif 000005
【図４】
2006345467.tif 000006
【図５】
2006345467.tif 000007
【図６】
2006345467.tif 000008
【図７】
2006345467.tif 000009
【図８】
2006345467.tif 000010
【図９】
2006345467.tif 000011
【図１０】
2006345467.tif 000012
【手続補正書】
【提出日】平成18年3月15日(2006.3.15)
【手続補正１】
【補正対象書類名】特許請求の範囲
【補正対象項目名】請求項１
【補正方法】変更
【補正の内容】
【請求項１】
アナログレコードのアームリフターであるが、ピックアップアームが最内周に来ると、スイッチが入りピックアップアームをレコードから持ち上げる。その状態でスイッチが切れ停止する。アームを手で取り去ると再びスイッチが入り、アームリフターは自動的に下がりはじめ、下がり終えたところでスイッチが切れ、初期の状態になるアームリフターで、２個の電源または２個の電池を使用する事を特徴とするアームリフターの構造。
【手続補正２】
【補正対象書類名】特許請求の範囲
【補正対象項目名】請求項２
【補正方法】変更
【補正の内容】
【請求項２】
アナログレコードのアームリフターであるが、ピックアップアームが最内周に来ると、スイッチが入りピックアップアームをレコードから持ち上げる。その状態でスイッチが切れ停止する。アームを手で取り去ると再びスイッチが入り、アームリフターは自動的に下がりはじめ、下がり終えたところでスイッチが切れ、初期の状態になるアームリフターで、１個の電源または１個の電池を使用する事を特徴とするアームリフターの構造。
【手続補正３】
【補正対象書類名】特許請求の範囲
【補正対象項目名】請求項３
【補正方法】変更
【補正の内容】
【請求項３】
アームやターンテーブルとは独立し、アームの操作に合わせ、電力により自動的に動作する。使用時には操作のために手を触れる必要がない事を特徴とするアームリフター。
【手続補正４】
【補正対象書類名】特許請求の範囲
【補正対象項目名】請求項４
【補正方法】変更
【補正の内容】
【請求項４】
昇降する短い動作の時間のみにしか電力を消耗しない事を特徴とするアームリフター。
【手続補正５】
【補正対象書類名】明細書
【補正対象項目名】全文
【補正方法】変更
【補正の内容】
【発明の詳細な説明】
【発明の詳細な説明】
【産業上の利用分野】
【０００１】  アナログレコードプレーヤーにおいてアームの使用を便利にするために、アームリフターの昇降をアームの動きにあわせ、自動的に動作するようにしたものである。
【背景技術】
【０００２】  従来のアームリフターはアームを上げたり、下げたりする動作をアームに取り付けられた専用のアームリフターのレバーを使用し手動で行うものや、アームと連結してプレーヤーに組み込む事で自動的にアームを上げ、ボタンを押す事でアームを下げる作業をするものがある。アームやターンテーブルとは独立して取り付けるアームリフターでは自動的に上げることは出来るが、上がったアームリフターを初期状態にセットするためには指で押し下げる必要であった。高度な音質を求める良質なアームは単独で販売されており、便利に使用する手段が無かった。
【発明が解決しようとする課題】
【０００３】  多くの種類のアームに使用可能にすること。
【０００４】  アームリフターの取り付け後はアームリフターの操作を全く考えることなく便利に使用できるようにすること。
【０００５】  アームとは独立した装置であり、音質を阻害する事が無いこと。
【０００６】  アームリフターの動力に使用する電力や電池の消耗を少なくすること。
【０００７】  小型化できること。
【課題を解決するための手段】
【０００８】  図１から図５と図９から図１３は請求項１にあたるアームリフターの２つの異なる構造の物で、図１は設置する為の置き台を付けた断面図と図９は歯車の軸とモーターやスイッチを支えるカバーになる本体の形を書き込んでいる。図２から図５と図１０から図１３には配線図を記入し、それらの動きを説明した図である。電力は家庭用の商用電源を整流して使用する事も出来るが、ここでは電池を使用した場合の図面である。
【０００９】  図１から図５のアームリフターの昇降はリフター駆動部の中央にネジ状の穴を形成し、モーターに取り付けられたボルト状のものが回転することにより行うようにした。図９から図１３のアームリフターは歯車にバー状のリフターを形成して、歯車が回転することによりリフターの昇降を行うようにしている。
【００１０】  図２と図１０は請求項１のアームリフターをセットした時の初期状態である。このときスイッチＡは下がる為の接点Ａの１に導通しているが、上がる為の接点Ａの２はオフとなり導通していない。スイッチＢの方では下がる為の接点Ｂの１はオフになっており、上がる為の接点Ｂの２がオンになった状態である。２つの電池はスイッチＡとスイッチＢで切断されているのでモーターに電流が流れないためリフターは停止状態である。図１４のプレーヤーに示された取り付け位置にセットする。図面ではアームの断面図を丸で表しており、矢印はアームの動きを示している。アームはレコード上を動き、リフターには届いていない状態の図である。
【００１１】  図３と図１１はアームがレコードの最内周に来て、アームリフターのスイッチＡを押す事で、スイッチＡの下がる為の接点Ａの１はオフとなり、上がる為の接点Ａの２がオンになるため電池２が導通してモーターに電流が流れリフターは上がり始める。このとき少し遅れて、スイッチＢの下がる為の接点Ｂの１がオンになった状態のものである。
【００１２】  図４と図１２は請求項１のアームリフターによってアームが上げられた状態のものである。リフターが上がり終える時、それぞれの駆動部に取り付けられた爪によりスイッチＢの上がる為の接点Ｂの２はオフになり、２つの電池は切断状態となる。リフターは上がったままの状態で停止する。レコード演奏が終了してもアームをすぐに手で取り上げる必要も無く、このままの状態ではアームリフターの電池は消耗しない。
【００１３】  次の動作は図５と図１３のように、リフターによって持ち上げられたアームを手で取り去るとスイッチＡは上がる為の接点Ａの２から下がる為の接点Ａの１に切り替わる。スイッチＢは下がる為の接点Ｂの１がオンになっているため電池１が導通になるからモーターは回転を始めアームリフターは下がり始める。図５と図１３はそのときの図であるが、その後アームリフターが下がり終える時に駆動部の爪によりスイッチＢの下がる為の接点Ｂの１はオフとなり、モーターが止まりリフターは停止する。その時上がる為の接点Ｂの２がオンになっており、図２や図１０の初期状態となる。
【００１４】  このように請求項１のアームリフターにおいては、レコード面の内周にアームが来てスイッチＡを押すことで上がる為の接点Ａの２に電流が流れリフターのモーターが左回転しアームを持ち上げる。リフターが上がり終える時、リフターの駆動部に付いている爪が接点Ｂの２を切りリフターは停止して電源が切れる。このときスイッチＡのバネの力でアームが戻らないようにリフターの上部に凹みをつけている。次にアームを手で持ち上げるとスイッチＡはバネの力で元に戻り下がるための接点Ａの１が入る。スイッチＢも下がる為の接点Ｂの１が入りになっているためモーターが右回転してアームリフターは下がる。アームリフターが下がり終える時、リフターの駆動部分に付いている爪が接点Ｂの１を切りリフターは停止して電源が切れ、初期状態になる。このように一度セットすると使用する度に電源スイッチを入り切りする必要も無く、便利に使用することが出来る。
【００１５】  図６は請求項２のアームリフターである。スイッチＣは請求項１のアームリフターに使用しているスイッチＡと同じだが、スイッチＤは３連の同時に切り替えるトグルスイッチを利用する。トグルスイッチは瞬時に切り替えが出来る。アームリフターの駆動部にスイッチＤを切り替える為の溝を設ける。その溝の上下幅によりリフターの動きの長さを決定するようにした。
【００１６】  図７と図８は請求項２のアームリフターの配線図を表している。特に３連スイッチを使用したスイッチＤの配線が解かり難い為、スイッチＤを解かり易いようにＤの１とＤの２とＤの３の三つに分けて下部に記載している。
【００１７】  図７は請求項２のアームリフターの初期状態であり、３連のスイッチＤのノブは下げられている。図のようにスイッチＤの１はオンになっているがスイッチＣで切られ、電極のマイナス側はモーターに導通していない。スイッチＤの２はオフである。スイッチＤの３はプラスの電極の切り替えであるがモーターの上がる為のプラスの電極に導通している。この後、トーンアームがスイッチＡを押す事で接点Ｃの２がオンの状態になる為、上がる為のマイナス側の電極も導通し、モーターは上がる為の回転を始める。
【００１８】  図８はリフターが上がり終える時にリフターの駆動部に付けられた溝が３連スイッチのノブを持ち上げる事で３連スイッチが切り替わったときの状態である。３連スイッチＤの１がオフになりモーターは停止している。３連スイッチＤの２はこのときオンになるがスイッチＣで電流は切断されている。３連スイッチＤの３はリフターが下がる為のモーターのプラス電極に切り替わっている。この後、トーンアームを手で持ち上げるとスイッチＣはバネの力で戻り接点Ｃの１が導通し、すでに導通状態であるスイッチＤの２を通りモーターが下がる為に回転するマイナス電極に繋がる。そしてリフターは下がり始める。下がり終える時にリフター駆動部の溝により３連スイッチＤのノブは押し下げられ図７の初期の状態になる。
【００１９】  請求項１、請求項２ともに自然なアームの動きや自然な操作によりスイッチが自動的に切り替わり動作する。直流モーターの電源端子がスイッチによりプラスとマイナスが入れ替わるようにしてアームリフターの上がり下がりを決定している。
【００２０】  このアームリフターを使用するために、スイッチを手動で入り切りする必要のないように自動的に電源が切れるようにした。また電力の消耗はリフターが上がる時と下がるときの短い時間であり非常に少ない。アームリフターが上がった状態でも、下がった状態でも電源はオフになる。要するにレコード演奏中の待機状態やプレーヤーを使用しない場合は自動的にスイッチは切れ電池の消耗は無い。
【００２１】  請求項１のスイッチＡまたは請求項２のスイッチＣはフリーな状態ではＡの１またはＣの１に接触しているが、アームがレコードの最内周に来るとスイッチＡまたはＣを押す。梃の原理で弱い力でも接点Ａの２または接点Ｃの２へ切り替わるようになっている。
【００２２】  請求項１の図９から図１３のアームリフターでは昇降するスピードを調整する為に、モーターの回転速度を歯車によって減速して利用した。
【００２３】  請求項１の図１から図５と請求項２のアームリフターでは昇降するスピードを調整する為にモーターの回転をコントロールする定電流回路や抵抗回路を設ける事も出来る。または減速機付きのモーターを利用する。
【００２４】  使用する電源や電池は電池ボックスの形を変えると色々な種類や形態の物が使用できる。
【作用】
【００２５】  取り付けの高さを変えることで多くの種類のアームリフターとして使用できる。
【００２６】  電力に電池を使用しても消耗が少なく長期間の使用が可能であった。
【００２７】  アナログレコードプレーヤーにおいてはそれぞれのアームに手動のアームリフターがついているのでレコードに針を下ろす時は手動のアームリフターが使用できる。しかし一般では多くの方が針を下ろすためには手動のアームリフターを使用する事なく、フリーハンドで自由に針を下ろすことを好んでいる。問題はレコードの演奏が終了した時に起こる。すぐに針を上げないと音楽信号のないレコードの内周をいつまでも針がトレースした状態になり、針先やレコードを消耗する。発明のアームリフターは自動的に針を上げるために、レコード演奏が終わってすぐに席を立ち、針を上げる煩わしさが無くなる。更には次のレコードをかけるために、リフターをセットする操作が不要になる事は非常に快適に感じるものである。
【実施例】
【００２８】  実施例、図１は代表的な図面である。スイッチＡの動きの堅さやスイッチＢの１から２に切り替える長さなどに適度な距離が必要であった。またリフト部分の凹み部分の深さはスイッチＡの反発力と合わせて調整している。本体をアームにセットする時はアームに合わせて高さや取り付け場所を決定する必要がある。セットした後の動作には問題なく非常に便利である。【００２９】  多種のアームやアナログプレーヤーに取り付けるには高さや厚さに制限があり、リフト部分までの高さにおいては４０ミリから５０ミリ、厚さは１０ミリ前後が好ましい。アームリフターの昇降の長さは４ミリから５ミリが好ましい。【００３０】  スイッチの接点は小さな圧力で導通が必要な事と長期間の使用が出来るように金メッキすることが望ましい。
【発明の効果】
【００３１】  色々な多くの種類のピックアップアームに使用する事が出来た。
【００３２】  レコード演奏が終了してもピックアップアームが自動的に上がる為、安心してアナログレコードを聞きながら他の用事をすることが出来る。
【００３３】  高品質のピックアップアームにでも音質の劣化無く使用できた。
【００３４】  電池の消耗は非常に少なく長期間使用することが出来る。
【００３５】  取り付け後の操作は電源のオンオフも必要なく非常に便利である。
【図面の簡単な説明】
【００３６】
【図１】  請求項１のアームリフターに高さ調整台が取り付けられた側面図であるが配線図を省略している。
【図２】  請求項１のアームリフターの配線図を示した。セットした初期状態の側面図である。
【図３】  請求項１のアームリフターが動作してアームを持ち上る過程の状態の側面図である。
【図４】  請求項１のアームリフターが動作してアームを持ち上げた状態の側面図である。
【図５】  請求項１のアームリフターが動作して持ち上げたアームを手で取り去った状態の側面図である。
【図６】  請求項２のアームリフターに高さ調整台が取り付けられた側面図であるが配線図を省略している。
【図７】  請求項２のアームリフターの配線図を示した。セットした初期状態の側面図である。
【図８】  請求項２のアームリフターが動作してアームを持ち上げた状態の側面図である。
【図９】  請求項１の歯車を利用したアームリフターの側面図であるが配線図を省略している。
【図１０】  請求項１の歯車を利用したアームリフターの配線図を示した。セットした初期状態の側面図である。
【図１１】  請求項１の歯車を利用したアームリフターが動作してアームを持ち上る過程の状態の側面図である。
【図１２】  請求項１の歯車を利用したアームリフターが動作してアームを持ち上げた状態の側面図である。
【図１３】  請求項１の歯車を利用したアームリフターが動作して持ち上げたアームを手で取り去った状態の側面図である。
【図１４】  アームリフターの取り付け位置を示したプレーヤーの図である。
【符号の説明】
【００３７】      １、２  電池
３  リフター駆動部
４  スイッチＡ
５  接点Ａの１
６  接点Ａの２
７  スイッチＢ
８  接点Ｂの１
９  接点Ｂの２
１０  駆動モーター
１１  駆動部の爪
１２  定電流回路又は抵抗の取り付けスペース
１３  高さ調整台
１４  スペーサー
１５  ピックアップアーム
１６  スイッチＣ
１７  接点Ｃの１
１８  接点Ｃの２
１９  ３連トグルスイッチ
２０  ３連トグルスイッチのノブ
２１  駆動部の凹み
２２  本体
２３  ピックアップ部
２４  レコードの内周
２５  アームリフターの設置場所
【手続補正６】
【補正対象書類名】図面
【補正対象項目名】全図
【補正方法】変更
【補正の内容】
【図１】
2006345467.tif 000013
【図２】
2006345467.tif 000014
【図３】
2006345467.tif 000015
【図４】
2006345467.tif 000016
【図５】
2006345467.tif 000017
【図６】
2006345467.tif 000018
【図７】
2006345467.tif 000019
【図８】
2006345467.tif 000020
【図９】
2006345467.tif 000021
【図１０】
2006345467.tif 000022
【図１１】
2006345467.tif 000023
【図１２】
2006345467.tif 000024
【図１３】
2006345467.tif 000025
【図１４】
2006345467.tif 000026